(57)【特許請求の範囲】
【請求項１】
複数の外装材を四辺合決りで接続した状態でこの外装材を建物の下地材に敷設する外装材の取付構造であって、横方向に隣り合う外装材同士を上下方向位置を合致させた状態で側端同士を互いに突き合わせて配列すると共に、上下方向に隣り合う外装材同士を横方向位置をずらした状態で上下端同士を互いに突き合わせて配列し、上下に隣り合う外装材のうち上方の外装材の一側方に、この外装材の一側端の下端部を下地材に固定する第一取付金具と、前記外装材の一側方に隣接して配置される別の外装材の下端の他側端部を下地材に固定する第二取付金具とを、前記別の外装材と下地材との間に設けて成ることを特徴とする外装材の取付構造。
【請求項２】
第二取付金具が、この第二取付金具にて下端の他側端部が下地材に固定された外装材の下方に隣接する外装材の上端を下地材に固定するものであることを特徴とする請求項１に記載の外装材の取付構造。
【請求項３】
外装材の上側の隅部を下地材に固定する取付金具が設けられていることを特徴とする請求項１又は２に記載の外装材の取付構造。
【発明の詳細な説明】
【技術分野】
【０００１】
本発明は、壁パネルなどの外装材を建物に取り付ける外装材の取付構造に関するものである。
【背景技術】
【０００２】
従来、建物の外壁等に複数の外装材１を敷設するにあたり、図１０に示すような外装材１を用い、四辺合決りで接続して敷設する外装材１の取付構造が提案されている。この外装材１では、外装材１の上端と一方の側端には実部６が突設されていると共に外装材１の下端と他方の側端には覆い部５が突設されている。上下左右に隣り合う外装材１同士は、前記実部６と覆い部５とが凹凸嵌合して突き合わされる。また、外装材１の下部には覆い部５の後側において溝部７が横方向の全長に亘って設けられている。
【０００３】
図１１〜１３はこのような外装材１の従来の取付構造の一例を示すものである。
【０００４】
図示の例では、外壁等の外側に外装材１を敷設している。このとき、外装材１の横方向の突き合わせ部分を下地材４の外面側に配置し、この突き合わせ部分にて外装材１を、取付金具２２により下地材４に取り付けている。
【０００５】
取付金具２２には上向き係止片１５と下向き係止片１４が設けられている。この取付金具２２は、下地材４の外面の、四枚の外装材１の隅部同士が突き合わされる位置に固定される。取付金具２２の下方には二つの外装材１が互いに横方向に突き合わされた状態で配置され、この各外装材１の実部６に下向き係止片１４が嵌合することで、この下方の二つの外装材１が固定される。また、取付金具２２の上方には二つの外装材１が、互いに横方向に突き合わされると共に、前記下方の外装材１と上下方向に突き合わされた状態で配置され、この上側の各外装材１の溝部７に上向き係止片１５が嵌合することで、この上方の二つの外装材１が固定される。このとき、下向き係止片１４から垂下する爪片２３を、外装材１に設けた切欠部２４に嵌合することで、外装材１の左右の位置合わせを行っている（特許文献１参照）。
【０００６】
このように取付金具２２にて外装材１を取り付けることにより、一つの取付金具２２にて上側の外装材１の下側の隅部と下側の外装材１の上側の隅部とを同時に下地材４に固定することができ、結果、各外装材１の四つの隅部が下地材４に固定されて、外装材１が安定して固定される。
【特許文献１】特許第３５０３５１４号公報
【発明の開示】
【発明が解決しようとする課題】
【０００７】
四辺合決りによる外装材１の敷設にあたっての外装材１の配列としては、上記図１３に示すもののほか、図９に示すように上下に隣接する外装材１同士の横方向位置をずらした、いわゆる千鳥状の配列もなされている。このような配列の場合、上方に配置される外装材１の下側の隅部の配置位置と、下方の下地材４の上側の隅部の配置位置とが一致しないため、上記図１２に示すように取付金具２２にて下側の外装材１の上側隅部を固定した後、この外装材１の上に更に外装材１を敷設する場合には、この上側の外装材１の下側隅部が固定されなくなって、外装材１を安定して固定することができなくなる。
【０００８】
この場合、外装材１の下側隅部を固定するための取付金具を別途設けることにより各外装材１の四つの隅部を固定することが考えられる。
【０００９】
しかし、上記のように外装材１を千鳥状に敷設する場合には、上下に隣接する外装材１の横方向位置が一致しないため、下側の外装材１を敷設した後に上側の外装材１を敷設する場合の横方向位置の位置合わせに際し、下側の外装材１の位置を参照することはできない。このため、図１３に示す場合には、上側の外装材１の敷設時に位置ずれが生じても下側の外装材１の配置位置を参照して速やかに修正することができるが、外装材１を千鳥状に敷設する場合には位置ずれの発生を認識することが困難であり、しかも位置ずれの修正にも非常に手間がかかってしまうものであった。
【００１０】
本発明は上記の点に鑑みてなされたものであり、外装材１を建物の下地材４に千鳥状に取り付けて敷設する場合に、各外装材１の下側の隅部を固定する際に外装材１の横方向位置の位置合わせを容易に行うと共にこの外装材１の横方向位置の位置ずれの発生を防止することができる外装材１の取付構造を提供することを目的とするものである。
【課題を解決するための手段】
【００１１】
請求項１に係る発明は、複数の外装材１を四辺合決りで接続した状態でこの外装材１を建物の下地材４に敷設する外装材１の取付構造であって、横方向に隣り合う外装材１同士を上下方向位置を合致させた状態で側端同士を互いに突き合わせて配列すると共に、上下方向に隣り合う外装材１同士を横方向位置をずらした状態で上下端同士を互いに突き合わせて配列し、上下に隣り合う外装材１のうち上方の外装材１の一側方に、この外装材１の一側端の下端部を下地材４に固定する第一取付金具２と、前記外装材１の一側方に隣接して配置される別の外装材１の下端の他側端部を下地材４に固定する第二取付金具３とを、前記別の外装材１と下地材４との間に設けて成ることを特徴とする。
【００１２】
請求項２に係る発明は、請求項１において、第二取付金具３が、この第二取付金具３にて下端の他側端部が下地材４に固定された外装材１の下方に隣接する外装材１の上端を下地材４に固定するものであることを特徴とする。
【００１３】
請求項３に係る発明は、請求項１又は２において、外装材１の上側の隅部を下地材４に固定する取付金具が設けられていることを特徴とする。
【発明の効果】
【００１４】
請求項１の発明によれば、下地材に敷設された外装材の上方に隣接して更に外装材を敷設するする際に、外装材を敷設するごとにこの外装材の一側方に第一取付金具と第二取付金具を敷設し、更にこの外装材の一側方に別の外装材を敷設して外装材を横方向に順次敷設することができ、このとき各外装材の下端側の一側方の隅部を第一取付金具にて固定すると共にこの外装材の横方向位置の位置ずれをこの第一取付金具にて阻止することができ、且つこの外装材の下端側の他側方の隅部の固定を第二取付金具にて行うことができ、各外装材の下側の隅部を固定する際に外装材の横方向位置の位置合わせを容易に行うと共にこの外装材の横方向位置の位置ずれの発生を防止することができるものである。
【００１５】
また、請求項２の発明によれば、第二取付金具によって外装材の上端をも固定することができ、外装材を更に安定して取り付けることができるものである。
【００１６】
また、請求項３に係る発明によれば、外装材の四つの各隅部を下地材に固定することができ、外装材を更に安定して固定することができるものである。
【発明を実施するための最良の形態】
【００１７】
以下、本発明を実施するための最良の形態を説明する。
【００１８】
本発明で用いられる外装材１の一例を図３に示す。この外装材１は略平板状の矩形状の壁パネルとして形成されている。外装材１は例えばセメントを主成分とする窯業系材料で形成することができる。外装材１の上端と一方の側端には実部６が突設されていると共に外装材１の下端と他方の側端には覆い部５が突設されている。また、外装材１の下部には覆い部５の後側において溝部７が横方向の全長に亘って設けられている。
【００１９】
また、図示の外装材１の外面には、複数の凹溝９が設けられると共に、この凹溝９に囲まれた複数の凸部８が設けられている。このとき横方向の凹溝９ａが一定間隔をあけて平行並列に複数設けられると共に、各凹溝９ａの間に縦方向の凹溝９ｂが一定間隔をあけて平行並列に複数設けられている。各横方向の凹溝９ａ間における縦方向の凹溝９ｂの位置は交互にずれた位置となっている。このため、各凸部８は同一の矩形状に形成されており、横方向に隣り合う凸部８同士は上下方向位置を合致させた状態で配列し、上下方向に隣り合う凸部８同士は横方向位置をずらした状態で配列して、千鳥状に配列している。
【００２０】
また、外装材１の上下方向の一端側（上端側）に配置されている凸部８の上端縁と外装材１の上端縁との間には、横方向の凹溝９ａの幅と同一の幅を有する凹段部１０（１０ａ）が形成されており、上下方向の他端側（下端側）に配置されている凸部８の下端縁は外装材１の下端縁と一致している。また、外装材１の横方向の一端側（右端側）には、凸部８の一端縁と外装材１の一端縁との間に縦方向の凹溝９ｂの幅と同一の幅を有する凹段部１０（１０ｂ）が、一列おきに形成されており、凹段部１０ｂが形成されていない列では、横方向寸法が凸部８よりも短く且つその一端縁と外装材１の一端縁とが一致している半凸部８ａが形成されている。また、外装材１の横方向の他端側（左端側）には、凸部８と、横方向寸法が凸部８よりも短い半凸部８ｂとが設けられており、この凸部８及び半凸部８ｂの他端縁と外装材１の他端縁とが一致している。ここで、一端側の半凸部８ａと、他端側の半凸部８ｂとは、横方向に並ぶ同一の凸部８の列中に設けられている。
【００２１】
外装材の取り付けに用いられる取付金具の例を図４〜６に示す。
【００２２】
図４に示す第一取付金具２は厚み０．８ｍｍ程度の金属板を曲げ加工などすることによって形成することができ、この金属板としては耐食性の高い亜鉛アルミニウムマグネシウム合金メッキ鋼板、ステンレス鋼板、アルミニウム板等の適宜の材質のものを用いることができる。図４（ａ）〜（ｃ）に示すように、取付金具３の表面の略中央部には、横向き係止片１１が突設されている。この横向き係止片１１は取付金具３の片側の側方に向けて突出する係止爪１１ａを有する。また第一取付金具２の上下の両端部、並びに係止爪１１ａの突出方向側の側縁部には表面側に向かって突出する支持部１２が設けられている。また、第一取付金具２の略中央部には取付孔１３が設けられている。
【００２３】
図５に示す第二取付金具３は第一取付金具２と同様の材質にて形成することができる。図５（ａ）〜（ｃ）に示すように、第二取付金具３の表面の略中央部には上向き係止片１５が突設されている。上向き係止片１５は上方に突出する係止爪１５ａが設けられている。また、第二取付金具３の表面の上向き係止片１５を挟んだ両側には一対の下向き係止片１４が横方向に並んで突設されている。下向き係止片１４は下方に突出する係止爪１４ａを有する。この取付金具３の上向き係止片１５及び下向き係止片１４よりも上部は固定片１８として形成されており、この固定片１８には取付孔１３が設けられている。さらに、第二取付金具３の両側部には表面側に向かって突出する支持部１２が設けられている。
【００２４】
図６に示す第三取付金具１７も第一取付金具２と同様の材質にて形成することができる。図６（ａ）〜（ｃ）に示すように、第三取付金具１７の表面の略中央部には一対の上向き係止片１５が横方向に並んで突設されている。各上向き係止片１５は上方に突出する係止爪１５ａを有する。また、第三取付金具１７の表面の両側には一対の下向き係止片１４が横方向に並んで突設されている。各下向き係止片１４は下方に突出する係止爪１４ａを有する。また、第三取付金具１７の表面の略中央下部には位置決め片１９が突設されている。この位置決め片１９は上向き係止片１５及び下向き係止片１４の下方に設けられ、且つこの位置決め係止片１７の両側にそれぞれ上向き係止片１５及び下向き係止片１４が一つずつ設けられている。また、第三取付金具１７の上向き係止片１５及び下向き係止片１４よりも上部は固定片１８として形成されており、この固定片１８には取付孔１３が設けられている。さらに、第三取付金具１７の両側部には表面側に向かって突出する支持部１２が設けられている。
【００２５】
上記のような外装材１及び各取付金具３，４，１７を用い、複数の外装材１を四辺合決りで接続した状態でこの外装材１を建物の下地材４に敷設する。このとき、図８，９に示すように、横方向に隣り合う外装材１同士を上下方向位置を合致させた状態で側端同士を互いに突き合わせて配列し、上下方向に隣り合う外装材１同士を横方向位置をずらした状態で上下端同士を互いに突き合わせて配列して、外装材１をいわゆる千鳥状に配列する。
【００２６】
このように下地材４に外装材１を敷設するにあたっては、図７（ｃ）に示すように、まず建物の外壁等の下地材４の下端部にスタータ金具２０を取り付ける。スタータ金具２０は前記下地材４の下端の外面側に配置される。このスタータ金具２０にビス等の固着具１６を貫通させると共にこの固着具１６を下地材４に打入することにより、スタータ金具２０が取り付けられる。
【００２７】
次に、スタータ金具２０に外装材１を上方から近づけ、外装材１の下端の溝部７にスタータ金具２０の上向き係止片１５を嵌合させることで、外装材１を取り付ける。外装材１は横方向の端部を互いに突き合わせながら横方向に複数敷設される。このとき、隣り合う外装材１の一方の実部６と他方の覆い部５とが凹凸嵌合することで、この外装材１同士が接続される。
【００２８】
このとき、図８中の符号イに示す位置で、各外装材１の下側の両側部においてこの外装材１がスタータ金具２０にて固定されるようにして、各外装材１の下側の二つの隅部を固定する。
【００２９】
次に、図８中の符号ロで示す位置において、図２に示すように、上記敷設された外装材１の突き合わせ部分の上方から第三取付金具１７を近づけ、この第三取付金具１７の位置決め片１９を外装材１の裏側から外装材１同士の突き合わせ部分の間に差し入れると共に支持部１２を外装材１の裏面に当接させ、各外装材１の上端の実部６に一対の下向き係止片１４をそれぞれ嵌合させる。これにより、第三取付金具１７は下地材４と外装材１との間に配置される。第三取付金具１７の固定片１８は外装材１の上端から上方に突出した状態となる。
【００３０】
次に、第三取付金具１７の固定片１８に設けられた取付孔１３にビス等の固着具１６を挿入して貫通させ、この固着具１６を下地材４に打入する。これにより、第三取付金具１７が下地材４に固定され、取付金具３により各外装材１が固定される。このとき各外装材１の上側の二つの隅部が固定されることとなる。
【００３１】
次に、上記固定された外装材１の上方に、別の外装材１を複数枚配置する。この外装材１の横方向位置は、下側の外装材１の横方向位置からずれた所定の位置となるようにする。また上下に隣り合う外装材１は、下方の外装材１の上端の実部６と上方の外装材１の上端の覆い部５とが凹凸嵌合することにより接続すると共に、図８中の符号ロに示す位置において上側の外装材１の下端の溝部７に第三取付金具１７の上向き係止片１５を嵌合させる（図７（ｂ）参照）。これにより、第三取付金具１７にて各外装材１が支持される。
【００３２】
このように上側の外装材１を配置するにあたっては、この外装材１を一枚配置するごとに、図８中の符号ハで示す位置において、図１に示すようにこの外装材１の下端部の一側方に第一取付金具２を横向き係止片１１が前記外装材１側を向くように配置し、この横向き係止片１１を外装材１の一側縁の実部６に嵌合させる。このとき第一取付金具２は、係止片１１に対して係止爪１１ａの突出方向側において、外装材１と下地材４との間に介在しすると共に支持部１２が前記外装材１の裏面に当接する。この状態で第一取付金具２の取付孔１３にビス等の固着具１６を挿入して貫通させ、この固着具１６を下地材４に打入する。これにより、第一取付金具２が下地材４に固定され、第一取付金具２により外装材１の下側の一側の隅部が固定されることとなる。また、外装材１の一側方における前記第一取付金具２の近傍において、下側の外装材１の上方から第二取付金具３を近づけ、この外装材１の上端の実部６に下向き係止片１４を嵌合させる。これにより、第二取付金具３は支持部１２が外装材１の裏面に当接して下地材４と下側の外装材１との間に配置されと共に、この外装材１の上端から上方に突出した状態となる。この状態で、第二取付金具３の取付孔１３にビス等の固着具１６を挿入して貫通させ、この固着具１６を下地材４に打入する。これにより、第二取付金具３が下地材４に固定され、第二取付金具３により下側の外装材１の上端が固定される。
【００３３】
ここで、図１に示す例では、第一取付金具２の下端を下側の外装材１と近接させて配置し、この第一取付金具２の一側方に近接させて第二取付金具３を配置しているが、例えば第二取付金具３を上側の外装材１の一側端と近接させて配置し、この第二取付金具３の上方に第一取付金具２を近接させて配置するようにしても良い。
【００３４】
このように第一取付金具２及び第二取付金具３を取り付けたら、上記取り付けられた外装材１の一側方に別の外装材１を隣接して配置し、この別の外装材１を実部６と覆い部５との凹凸嵌合によって側方の外装材１及び下方の外装材１と接続する。
【００３５】
このとき、第一取付金具２は外装材２と下地材４との間に介在すると共に支持部１２が外装材２の裏面に当接し、図７（ａ）に示すように、第一取付金具２の横向き係止片１１は、実部６と覆い部５との間に介在することとなる。
【００３６】
また第二取付金具３も外装材２と下地材４との間に介在すると共に支持部１２が外装材２の裏面に当接し、且つ、新たに取り付けられた下地材４の下端の他側端部（隣接する外装材１側の端部）では、この外装材１の下端の溝部７に第二取付金具３の上向き係止片１５が嵌合する（図７（ｂ）参照）。これにより、新たな外装材１の下側の他側の隅部が固定されることとなる。
【００３７】
次に、上記新たな外装材１の一側方に、上記と同様に第一取付金具２及び第二取付金具３の取付、並びに更なる外装材１の取付を行い、この動作を繰り返すことにより、上側の外装材１を一列に取り付ける。
【００３８】
次に、上記のように取り付けられた上側の外装材１の上方に、既述と同様に図８中の符号ニの位置において第三取付金具１７を取り付け、更に、上記と同様に第一取付金具２及び第二取付金具３を用いた外装材１の取り付けを行うことができ、かかる動作を繰り返すことで外装材１を更に多段に取り付けることができる。
【００３９】
このようにして取り付けられた外装材１は、四つの隅部がそれぞれ下地材４に固定されることとなり、安定して取り付けられる。また、下側の外装材１の上方に別の外装材１を取り付ける場合には、外装材１を設置するごとにその横方向位置を第一取付金具２にて規制することができ、外装材１を一枚取り付けるごとにこの外装材１の横方向位置を正確に決定することができて、その後に外装材１の位置ずれが生じないようにすることができる。
【００４０】
尚、本実施形態では、既述のように外装材１の上側の隅部の固定を第三取付金具１７を用いて行っているが、この第三取付金具１７に代えて、第一取付金具２及び第二取付金具３を用いて外装材１の上側の隅部を固定しても良い。すなわち、例えば外装材１を一枚取り付けるごとに、この外装材１の上端部の一側方に第一取付金具２を取り付けて、この第一取付金具２にて外装材１の上側の一側方の隅部を固定し、また、この外装材１の他側部の上方に第二取付金具３を取り付けてこの第二取付金具３にてこの外装材１の上側の他側方の隅部を固定することができるものである。
【００４１】
また、外装材１の上端部を固定するにあたっては、外装材１を一枚取り付けるごとに、この外装材１の上端部の一側方に第一取付金具２を取り付けると共に、この外装材１の上端部の一側部の上方に第二取付金具３を取り付けることで、この第一取付金具２と第二取付金具３にてこの外装材１の上側の一側方の隅部を固定することもでき、その他適宜の位置に第一取付金具２と第二取付金具３とを取り付けて外装材１の固定を行うことができる。
【００４２】
また、本実施形態では上下に隣接する外装材１の突き合わせ部分においては、下側の外装材１の上端縁の凹段部１０ａの上方に上側の外装材１の下端側における凸部８の列が配置されて、この凹段部１０ａが外装材１に設けられた横方向の凹溝９ａと同様の外観を呈し、且つこの凹段部１０ａの幅方向の端縁が上下の外装材１の継ぎ目となる。このため、上下に隣接する外装材１同士の継ぎ目が目立たなくなる。
【００４３】
また、横方向に隣接する外装材１の突き合わせ部分においては、外装材１の一側端縁の凹段部１０ｂの一側方に、別の外装材１の他側における凸部８が配置されて、この凹段部１０ｂが外装材１に設けられた縦方向の凹溝９ｂと同一の形状となり、且つこの凹段部１０ｂの幅方向の端縁が横方向の外装材１の継ぎ目となる。このため、横方向に隣接する外装材１同士の継ぎ目が目立たなくなる。また、一方の外装材１の一側部の半凸部８ａと、他方の外装材１の他側部の半凸部８ｂとが突き合わされることにより凸部８と同一の形状となり、統一した外観が得られる。
【００４４】
尚、本実施形態における凸部８及び凹溝９を有するタイル調の外装材１は一例であって、外装材１における凸部８及び凹溝９の配置は本実施形態に示すものに限られず、またこのような外装材１の他に、石柄、ランダム柄、プレーン柄等の適宜の外面形状を有する外装材１を敷設するにあたって、本発明を適用することが可能である。
【図面の簡単な説明】
【００４５】
【図１】本発明の実施の形態の一例における、第一取付金具及び第二取付金具の設置状態を示す一部破断した斜視図である。
【図２】同上の第三取付金型の設置状態を示す一部判断した斜視図である。
【図３】同上の実施の形態における外装材を示すものであり、（ａ）は正面図、（ｂ）は底面図、（ｃ）は側面図である。
【図４】同上の実施の形態における第一取付金具を示すものであり、（ａ）は正面図、（ｂ）は側面図、（ｃ）は底面図である。
【図５】同上の実施の形態における第二取付金具を示すものであり、（ａ）は正面図、（ｂ）は側面図、（ｃ）は底面図である。
【図６】同上の実施の形態における第三取付金具を示すものであり、（ａ）は正面図、（ｂ）は側面図、（ｃ）は底面図である。
【図７】（ａ）乃至（ｃ）は同上の一部の概略断面図である。
【図８】同上の外装材の配列の一部を示す正面図である。
【図９】同上の外装材の配列の全体構成を示す正面図である。
【図１０】従来技術の一例を示す外装材の斜視図である。
【図１１】同上の施工状態を示す斜視図である。
【図１２】同上の施工状態を示す斜視図である。
【図１３】同上の外装材の配列を示す斜視図である。
【符号の説明】
【００４６】
１  外装材
２  第一取付金具
３  第二取付金具
４  下地材
【図１】
0004764259.tif 000002
【図２】
0004764259.tif 000003
【図３】
0004764259.tif 000004
【図４】
0004764259.tif 000005
【図５】
0004764259.tif 000006
【図６】
0004764259.tif 000007
【図７】
0004764259.tif 000008
【図８】
0004764259.tif 000009
【図９】
0004764259.tif 000010
【図１０】
0004764259.tif 000011
【図１１】
0004764259.tif 000012
【図１２】
0004764259.tif 000013
【図１３】
0004764259.tif 000014